(57)【特許請求の範囲】
【請求項１】
被写体を撮像し該撮像した画像を出力する撮像手段と、該撮像した画像を記憶する記憶手段とを備えた映像入力装置であって、
該映像入力装置は、コンピュータ本体と、画像表示用モニタと、前記撮像手段とを一体に形成したものであり、
前記撮像手段は、回動可能に設けられたＣＣＤカメラであり、
該撮像手段の撮像箇所を、少なくとも該コンピュータの前の操作者の位置と、該コンピュータが設置された面上を含む他の位置とに切り替える切り替え手段と、
前記切替手段がコンピュータが設置された面上を撮像可能に切り替えたとき、前記撮像手段が撮像した画像を、前記モニタに表示する表示手段と
を備える映像入力装置。
【請求項２】
請求項１記載の映像入力装置であって、
回線に接続されることによって接続先との間で画像を含む情報のやり取りが可能となっており、
前記コンピュータ本体は、パーソナルコンピュータとして機能するパーソナルコンピュータモードに加えて、前記撮像手段により撮像された画像を前記回線を介して送信するモードを有する
映像入力装置。
【発明の詳細な説明】
【０００１】
【産業上の利用分野】
本発明は、映像入力装置に関し、詳しくは被写体を撮像する撮像手段と撮像した画像を記憶する記憶手段とを備えた映像入力装置に関する。
【０００２】
【従来の技術】
従来、この種の映像入力装置は、外部に設置されたビデオカメラなどの撮像手段により撮像した画像を取り込み、この画像をコンピュータに内蔵または外付けされた記憶手段としての画像メモリに記憶する構成を有する。撮像手段としては、入力したい画像情報に応じて、ビデオカメラやスキャナ、ＶＴＲ等が任意に選定され、画像メモリも、入力したい画像情報に応じて必要な容量が選定される。
【０００３】
こうした映像入力装置を含むシステムにおいて、入力した画像情報の処理目的を限定して、該システムを、特定の画像情報の入力や処理を行なうための専用機とする場合には、ＣＰＵやメモリ、入出力回路を含むシステム全体を映像入力装置と一体化することができる。専用機とする場合には、構成をコンパクトなものにでき、また操作性の向上を図ることも可能である。
【０００４】
一方、最近では、コンピュータを用いた通信技術の発達にともない、パーソナル・コンピュータ等を用いた情報交換が広く行なわれるようになり、該コンピュータに適当な映像入力装置を接続して、種々の画像情報をやり取りすることも試みられている。例えば、ビデオカメラ等を接続した映像入力装置及びマイク等を接続した音声入力装置を、構内ＬＡＮや通信回線に接続し、入力した画像情報及び音声情報を相互に送信、受信することで、コンピュータ通信により簡易にテレビ電話を実現するものも知られている。コンピュータに映像入力装置を接続し、コンピュータ同士を接続するだけで、遠く離れた場所に居ながらにしてテレビ会議を行なうことができるのである。
【０００５】
【発明が解決しようとする課題】
しかしながら、テレビ電話のごとき利用法においても、送信、及び受信されるべき画像情報は、ビデオカメラ等により入力された相互の姿を映した映像だけではない。例えば、前記コンピュータ通信を利用したテレビ電話の場合では、相互の姿を映した映像の他に、相手方に対して説明、説得を行なうに当たって必要な書類や図面などの映像を送信したい場合が存在する。このように書類や図面などの映像の入力及び送信を望む場合には、映像入力装置において、ビデオカメラ等の撮像手段に代えてスキャナ等を別途接続して入力回路を切り換える必要があった。従って、撮像手段が複数必要になるばかりか、その切替回路も必要になり、実際の使用に際しては撮像手段を切り替える手間を要するという問題があった。
【０００６】
本発明の映像入力装置は、こうした問題を解決し、インターフェースを複雑化すること無く、複数種類の映像の入力の切替が容易な映像入力装置を提供することを目的としてなされ、次の構成を採った。
【０００７】
【課題を解決するための手段】
本発明の映像入力装置は、被写体を撮像し該撮像した画像を出力する撮像手段と、該撮像した画像を記憶する記憶手段とを備えた映像入力装置であって、
該映像入力装置は、コンピュータ本体と、画像表示用モニタと、前記撮像手段とを一体に形成したものであり、
前記撮像手段は、回動可能に設けられたＣＣＤカメラであり、
該撮像手段の撮像箇所を、少なくとも該コンピュータの前の操作者の位置と、該コンピュータが設置された面上を含む他の位置とに切り替える切り替え手段と、
前記切替手段がコンピュータが設置された面上を撮像可能に切り替えたとき、前記撮像手段が撮像した画像を、前記モニタに表示する表示手段と
を備えることを要旨とする。
【０００８】
前記構成の映像入力装置において、回線に接続されることによって接続先との間で画像を含む情報のやり取りが可能となっており、前記コンピュータ本体は、パーソナルコンピュータとして機能するパーソナルコンピュータモードに加えて、前記撮像手段により撮像された画像を前記回線を介して送信するモードを有する構成とすることもできる。
【０００９】
【作用】
以上のように構成された本発明の映像入力装置は、撮像手段が被写体を撮像し、撮像手段が出力したこの画像を記憶手段が記憶する。撮像手段はコンピュータの本体または画像表示用のモニタに設けられており、切替手段によって、撮像手段の撮像箇所が切り換えられるので、少なくともコンピュータが設置された面上と、コンピュータの前の操作者の位置とが撮像可能になる。
【００１０】
ここで撮像手段は、ビデオカメラやＣＣＤカメラ等、コンピュータの操作者の姿や書面などの映像を撮像可能であれば良く、記憶手段は、撮像した画像を記憶可能な容量を有していれば、コンピュータに内蔵しても外付けとしても差し支えない。また、上記のコンピュータが設置された面上とは、単にコンピュータが設置された机上に限るものではなく、撮像したい書類や図面、絵画や立体モデル等の被写体を撮像可能な状態に置くことができるならば、コンピュータ周辺のいかなる空間であってもかまわない。被写体を良好な状態に撮像準備するための専用の撮像台を用意し、コンピュータ周辺の特定の場所に設置して、撮像箇所の切り換え位置をこの撮像台に合わせる構成としても良い。
【００１１】
映像入力装置の切替手段が、コンピュータの設置された面上を撮像可能に切り換えたとき、撮像手段が撮像した画像を画像表示用モニタに表示する表示手段を備えた構成とすれば、撮像している画像の撮像状態の確認が極めて容易となる。
【００１２】
【実施例】
以上説明した本発明の構成・作用を一層明らかにするために、以下本発明の好適な実施例について説明する。図１は、第１実施例の映像入力装置１０を正面から見た外観を表わす概略図である。この映像入力装置１０は、大きくはコンピュータ本体１１およびＣＲＴディスプレイ１２から構成されており、通常のパーソナルコンピュータと同様の機能も有している。ＣＲＴディスプレイ１２は、モニタ画面１３を有し、コンピュータ本体１１上に設置される。ＣＲＴディスプレイ１２には、レンズ１６を有するＣＣＤカメラ１５、マイク１７及びスピーカ１８が実装されている。従って、ＣＲＴディスプレイ１２により、ＣＣＤカメラ１５及びマイク１７を用いて、外部の映像及び音声の取り込みを行ない、モニタ１３及びスピーカ１８を用いて映像及び音声の出力を行なうことが可能である。図１では、ＣＣＤカメラ１５のレンズ１６はコンピュータの正面を向いており、コンピュータの操作者の映像を撮像可能な状態にある。
【００１３】
ＣＣＤカメラ１５は、ＣＲＴディスプレイ１２の正面中心であって、モニタ画面１３の真上に、手前へと引き出し可能に設けられている。この構造について説明する。図２は、本実施例の映像入力装置１０においてＣＣＤカメラ１５を引き出した状態を側方からみた外観を表わす模式図である。本実施例では、ＣＣＤカメラ１５は、支持体２０の一端に回転可能に取り付けられており、この支持体２０およびＣＣＤカメラ１５は、ＣＲＴディスプレイ１２に収納された位置と、支持体２０ごと使用者側に引き出した位置（図２参照）とに、手動で移動可能である。支持体２０ごと手前に引き出した状態では、ＣＣＤカメラ１５は、自重で下向きに回転した状態となる。ＣＣＤカメラ１５だけがＣＲＴディスプレイ１２の表面上に存在し、支持体２０がＣＲＴディスプレイ１２内に収納されている状態では、映像入力装置１０はコンピュータの操作者の映像を撮像可能である。ＣＣＤカメラ１５がコンピュータの操作者側に引き出され、支持体２０に対して下方に９０度回転すると、映像入力装置は、コンピュータが設置された机上を撮像可能となる。ＣＣＤカメラ１５と共に支持体２０が引き出される際、支持体２０の他端に設けられた突起がＣＲＴディスプレイ１２内の切り換えスイッチ２２と接触し、入力する画像の変更を、コンピュータ本体１１側に伝える構成となっている。
【００１４】
コンピュータ本体１１は、電源スイッチ１４やフレキシブルディスクドライブ４２などを備え、その内部には、制御ユニット３０を含む種々の回路が備えられている。図３は、この映像入力装置１０のハードウエアの構成をブロックにより示す概略構成図である。映像入力装置１０の制御ユニット３０は、マイクロコンピュータを中心とする論理演算回路および入出力に関わる回路から構成される。マイクロコンピュータは、予め設定された制御プログラムに従って画像や音声等の入出力を制御するための各種演算処理を実行するＣＰＵ３１、ＣＰＵ３１で各種演算処理を実行するのに必要なプログラムやデータ等が予め格納されたＲＯＭ３２、同じくＣＰＵ３１で各種演算処理を実行するのに必要な各種データが一時的に読み書きされるＲＡＭ３３から成る。
【００１５】
入出力に関わる回路としては、ＣＲＴディスプレイ１２に映像を送るビデオ信号出力回路３５、ＣＣＤカメラ１５及びビデオ端子３６を介して外部からの映像情報を受けるビデオ信号入力回路３７、マイク１７及びスピーカ１８に接続する音声入出力回路３８、キーボード４４からの入力を受けるキーボードインターフェース４５がある。さらに、フレキシブルディスクドライブ４２、ハードディスク４１及び切り換えスイッチ２２と接続した入出力ポート４３、コンピュータと通信回線とを接続してコンピュータ通信を行なうための高速モデム３４、タイマ３９が存在し、これらはバス４６により相互に接続されている。また、映像入力装置１０の制御ユニット３０には、直流安定化電源４８が設けられている。この直流安定化電源４８は、コンピュータ本体上の電源スイッチ１４と外部に設置されたセンサ４７とに接続されており、そのいずれかの指示により電源の供給を開始し、コンピュータを起動させる。
【００１６】
次に、こうして構成された映像入力装置１０における、撮像箇所切り換え時の動作について説明する。図４は撮像箇所切り換え時に実行される映像処理ルーチンを例示するフローチャートである。ＣＣＤカメラ１５から画像入力を行なう際、映像入力装置１０の制御ユニット３０は、図４に示す映像処理ルーチンを実行する。このルーチンが実行されると、まず、ＣＰＵ３１は、カメラの切り換えスイッチ２２がオンであるかオフであるかの判断を行なう（ステップＳ１００）。カメラの切り換えスイッチがオンであれば、撮像箇所がコンピュータを設置した机上に切り替わっているものとして、ＣＣＤカメラ１５の焦点をコンピュータが設置された机上に合わせる（ステップＳ１１０）。実際には机上には、撮像したい書類２４が置かれている（図２参照）。続いて机上の書類２４を撮像してその画像を入力し（ステップＳ１２０）、入力した画像をモニタ上に表示する（ステップＳ１３０）。ここで、操作者によるキーボード３４からの入力状況が判断される（ステップＳ１４０）。操作者は、モニタに表示された書類２４の画像を見ながら、キーボードから、焦点合わせと画像の保存に関する操作を行なうことができる。すなわち、「↑」キーはカメラの焦点位置を上方向へ微調整することを指示し（ステップＳ１５０）、「↓」キーは  カメラの焦点位置を下方向へ微調整することを指示する（ステップＳ１６０）。また、リターンキーは、入力した画像をハードディスク３１に保存する処理の実行を指示する（ステップＳ１７０）。キーボード３４からの指示に従った処理が実行され、本ルーチンは終了する。
【００１７】
一方、ステップＳ１００においてカメラの切り換えスイッチ２２がオフである場合には、ＣＰＵ３１は、撮像箇所がコンピュータの操作者の位置であると判断して、ＣＣＤカメラ１５の焦点をコンピュータの操作者に合わせる（ステップＳ１８０）。続いてテレビ電話を設定するかどうかの判断を行ない（ステップＳ１９０）、テレビ電話の設定が予めキーボード４４などから指示されている場合には指示された相手先を発呼する処理を行なう（ステップＳ２００）。具体的には、高速モデム３４にダイヤルコマンドと相手先の電話番号を出力するのである。続いて、相手先に接続したかどうかを判断し（ステップＳ２１０）、接続しない場合はステップＳ２００に戻り、発呼動作を継続する。ステップＳ２１０で相手先に接続したと判断された後は、テレビ電話による映像・音声通信を行ない（ステップＳ２２０）、相手から通信回線を介して送られた映像をモニタに表示した後（ステップＳ２３０）、本ルーチンを終了する。なお、テレビ電話として使用中にモニタ画面に表示する映像は、相手先から送信されてきた通信相手の映像だけでなく、送信している自身の映像をサブ画面として表示しても良い。一方、ステップＳ１９０において、テレビ電話を設定しない場合にはそのまま処理を終了し、通常のコンピュータモードとなる。
【００１８】
以上説明した実施例の映像入力装置によれば、通信回線を用いたコンピュータ通信をテレビ電話として使用する場合には、通常はＣＣＤカメラ１５をＣＲＴディスプレイ１２上に位置させて、使用者の映像を撮像させる。他方スキャナとして使用する場合には、ＣＣＤカメラ１５を手前に引き出して机上の書類を取り込むことができる。従って、書類や図面を取り込む時にも、別途映像入力装置を用意する必要がない。この結果、複数の映像入力装置を接続することによるインターフェースの複雑化や、複数の映像入力装置を切り換えることによる操作の煩雑化を招来することがない。また、本実施例の映像入力装置は、撮像箇所をコンピュータが設置された机上に切り換えたとき、撮像した画像がモニタに表示され、操作者はその場で画像の焦点を合わせるなど撮像状態を修正することができるため、良好な画像を容易に入力することができる。
【００１９】
また、本実施例において、高速モデム３４としてＦＡＸ機能を有するものを用いれば、映像入力装置１０をスキャナとして用いて入力した画像を、キー入力による指示（ステップＳ１４０）でＦＡＸ転送することが可能となる。すなわち、映像入力装置に取り込んで編集操作を施した画像を送信したい場合に、一旦画像をプリンタ等に出力して印刷を行ない、印刷した画像を、別途用意したＦＡＸ装置により送信するといった煩雑な操作が必要なく、キー操作に伴い相手先のＦＡＸ番号や発呼の指示を入力するだけで、画像が送信できるのである。また、高品質の画像を送信することができる。
【００２０】
なお、図４に記載したフローチャートでは、テレビ電話として使用中にＣＣＤカメラ１５が引き出されてカメラスイッチ２２が切り替えられた場合については触れなかったが、映像音声の通信中（ステップＳ２２０）にＣＣＤカメラ１５が引き出された場合には、当然机上の被写体が撮像されることになる。この場合には、使用者は、モニタに表示された画像を見ながら書類や図面等に対する編集操作を行い、編集操作を施した画像を送信することができるため、より目的にかなった分かりやすい資料を送信することが可能である。
【００２１】
特にフローチャートを挙げて説明しなかったが、受信側となった時には、本実施例の映像入力装置は、高速モデムにより着信し、発呼側の映像をモニタ画面１３に表示する。尚、この映像入力装置を通常のコンピュータとして使用中に、テレビ電話機能を有する相手から被呼された場合には、バックグランドの処理として、相手からの映像を受信し、モニタ画面１３上にサブ画像として相手先の画像を表示することも可能である。
【００２２】
以上の第１実施例では、撮像箇所をコンピュータ本体を設置した机上とコンピュータの操作者の位置で切り換える場合の映像入力装置１０の動作について説明した。このような通信回線と接続された映像入力装置は、防犯のための監視装置としての利用も容易であるため、第１実施例の装置を監視装置として利用した場合の動作を、第２実施例として以下に説明する。
【００２３】
本実施例の映像入力装置は、図３に示すように、コンピュータ本体上の電源スイッチ１４及び外部に設置したセンサ４７の両方から起動が可能である。ここでセンサ４７は、コンピュータが設置された室内、例えば出入口付近など任意の場所が検知可能な位置に設置されており、コンピュータが設置された室内への侵入者の存在を感知することができる。電源スイッチ１４またはセンサ４７のいずれかにより電源が投入されると、ＣＰＵ３１は図５に示す電源投入時処理ルーチンを実行する。このルーチンが実行されると、まず、ＣＰＵ３１は、コンピュータの起動要因がセンサ４７によるものか電源スイッチ１４によるものかをチェックする（ステップＳ３００）。起動要因がセンサ４７によるものであれば、侵入者がいるものと判断されるので、モニタの電源はオフのままで（ステップＳ３１０）、高速モデム３４および通信回線を介して防犯センタ等への発呼を行なう（ステップＳ３２０）。続いて、ＣＣＤカメラ１５からは映像を、マイク１７からは音声を取り込んで侵入者に関する情報を入力し（ステップＳ３３０）、入力した映像と音声を防犯センタ等に送信する（ステップＳ３４０）。
【００２４】
ステップＳ３００で、起動要因が電源スイッチ１４による電源の投入であると判断された場合には、コンピュータの操作者による行為と判断されるので、その後は通常のパーソナルコンピュータとしての使用が行なわれる（ステップＳ３５０）。
【００２５】
以上のように、映像入力装置を防犯のための監視装置として利用する第２実施例では、監視装置として特別に映像入力装置を設置したり、防犯センタへの連絡のための回線を新たに接続する必要がない。また、本実施例の映像入力装置の外観は通常のコンピュータであり、さらに、センサにより起動されたときにはモニタ電源はオフのまま映像及び音声の入力を行なうため、映像や音声の入力を行なっていることを侵入者に気付かれることがないという効果を奏する。
【００２６】
また、映像入力装置を監視装置として使用する利用法では、上記のようにセンサにより侵入者を感知して起動させる構成の他に、防犯センタ側から映像入力装置を呼び出して監視を行なう構成も好ましい。すなわち、映像入力装置を設置した部屋が無人化する夜間などに、一定時間毎に防犯センタ等から通信回線を介して映像入力装置を呼び出し、映像及び音声の入力と防犯センタ等への送信を行なわせ、異常がないかをチェックすることが可能である。
【００２７】
以上の実施例では、カメラ１５及びマイク１７を、図１に示すようにＣＲＴディスプレイ１２の上部中央に設けたが、カメラ及びマイクを本体に取り付ける構造も良好である。第３実施例として、カメラ及びマイクをコンピュータ本体に設けた構成を図６に示す。図６では、本実施例の映像入力装置のコンピュータ本体部分及び設置面のみを示し、ＣＲＴディスプレイはその脚部のみを示した。さらに、図１と共通する本体及びマイクには共通の番号１１、１７を付した。第３実施例では、本体にスペーサ６２を取り付けて、本体と設置面との間に空間を設ける構造としている。図６は、カメラ６４が本体下の空間を向くよう移動させた状態を表わしており、撮像箇所を本体下の机上に切り換えたことにより、本体下の机上においた書類などの画像を取り込むことが可能となっている。ここで、レンズ６０は広角レンズであることが望ましい。
【００２８】
以上のような第３実施例では、第１実施例で見られた効果に加えて、撮像したい書類や図面を置くスペースを机上に別途確保する必要がなく、本体下の設置面を利用することができるという利点を有する。
【００２９】
以上本発明の実施例について説明したが、本発明はこうした実施例に何等限定されるものではなく、例えば撮像したい書類や図面を置くための専用の撮像台を設け、撮像台と映像入力装置とを一体化する構成など、本発明の要旨を逸脱しない範囲内において、種々なる態様で実施し得ることは勿論である。
【００３０】
以上説明した実施例の映像入力装置では、ＣＲＴディスプレイ１２をコンピュータ本体１１上に設置したが、ＣＲＴディスプレイとコンピュータ本体とを一体化した構成とすることも差し支えない。
【００３１】
また、ＣＣＤカメラ１５の位置の切替をモータなどを駆動源とする装置により自動化することも可能である。この場合には、位置の切替スイッチをＣＲＴディスプレイ１２やコンピュータ本体１１上に設けても良いし、モニタ画面１３にボタンを表示し、これをマウス等で操作することで、ＣＣＤカメラ１５の位置を切り換えるものとしても良い。
【００３２】
さらに、前記防犯装置としての利用法では、ＣＣＤカメラ１５の位置の切り換えをモータなどを駆動源とする装置により自動化することで、防犯センタ等からの回線を通した指示により、カメラの撮像箇所をコントロールすることが可能となる。すなわち、防犯センタなどからの指示で、ＣＣＤカメラ１５を引き出し、チルトやパン等を行ない、ＣＣＤカメラ１５の向きを上下左右に変更する。これにより、ＣＣＤカメラ１５が単にＣＲＴディスプレイ１２上に静止している場合に比べて、はるかに広い範囲の監視を行なうことができるのである。
【００３３】
第１実施例では、ＣＣＤカメラ１５は、手前に引き出して下方に回転させる構造としたが、この場合には、撮像した画像の天地は、通常の撮像時の天地と逆になる（手前側が上になる）。従って、ＣＣＤカメラ１５を手前に引きだした場合には、撮像した画像の上下をメモリ上で入れ換えるものとしてもよい。また、ＣＲＴディスプレイ８２の斜視図である図７に示すように、ＣＣＤカメラ８５を、一端がＣＲＴディスプレイ８２の右端に回転可能に取り付けられたアーム９０上に載置し、机上を撮像する場合には、このアーム９０を１８０度回転してＣＣＤカメラを取り出し、更にアーム９０長手方向を回転軸としてＣＣＤカメラ８５を下方に９０度回転するものとしてもよい。この実施例では、ＣＣＤカメラ８５による撮像位置がコンピュータの右サイドとなるため、書類２４などをおいて撮像するスペースを確保し易いという利点がある。更に、この場合には、ＣＣＤカメラ８５が撮像した映像の上下が入れ替わらないので、メモリ上で画像を処理するといった必要がない。
【００３４】
また、本発明の映像入力装置をテレビ電話として利用する場合には、留守番テレビ電話としての構成も可能である。すなわち、留守番メッセージとして使用者の映像と音声を入力して、映像入力装置のメモリ上に保存しておき、使用者の不在中にテレビ電話が被呼されると、保存したメッセージ（映像や音声）を相手先に送信するよう予めセットしておく。その後、送信したメッセージに対して、再び相手先から送信されてくる映像や音声をメモリ上に保存する構成とすれば、留守番テレビ電話が実現できるのである。
【００３５】
以上説明した本発明の映像入力装置により画像の送信を行なう時には、送信する画像データの圧縮を行なうことが好ましい。
【００３６】
一方、本発明の映像入力装置により撮像を行なう際、操作者の映像や机上の書類といった異なる撮像対象をより良好に撮像するために、撮像対象に応じて最適なレンズを選択し、その都度交換してＣＣＤカメラに付け換える構成も好適である。また、汎用性のあるレンズを映像入力装置のＣＣＤカメラに取り付けておき、広角レンズのような特別な機能を要求する場合に、対応するレンズを備えたアタッチメントをさらにカメラに取り付ける構成としても良い。尚、撮像手段としてはＣＣＤカメラに限る必要はない。
【００３７】
【発明の効果】
以上説明したように本発明の映像入力装置では、撮像手段の撮像箇所を切り換える切り換え手段を設けたことにより、インターフェースの複雑化や操作の煩雑化を招くこと無く、少なくともコンピュータが設置された面上とコンピュータの前の操作者の位置という複数の撮像箇所を、単一の撮像手段により撮像可能であるという優れた効果を有する。
【００３８】
また、本発明の表示手段によれば、撮像している画像を表示装置上でリアルタイムで確認することができるため、撮像状態の修正が極めて容易になるという効果を奏する。さらに、撮像した画像をモニタ上に表示することで、キーボード等コンピュータに接続した入力手段を通じて、撮像した画像に対する任意の編集操作が可能となる。
【図面の簡単な説明】
【図１】本発明の一実施例である映像入力装置を正面からみた外観を表わす概略図である。
【図２】本発明の一実施例である映像入力装置を側面からみた外観を表わす概略図である。
【図３】実施例におけるハードウエアの構成を示すブロック図である。
【図４】実施例における撮像時の処理を示すフローチャートである。
【図５】第２実施例における電源投入時の処理を示すフローチャートである。
【図６】第３実施例の映像入力装置を正面からみた外観の一部を表わす概略図である。
【図７】ＣＣＤカメラの取付の変形例を示す斜視図である。
【符号の説明】
１０…映像入力装置
１１…コンピュータ本体
１２…ＣＲＴディスプレイ
１３…モニタ画面
１４…電源スイッチ
１５…ＣＣＤカメラ
１６…レンズ
１７…マイク
１８…スピーカ
２０…支持体
２２…切り換えスイッチ
２４…書類
３０…制御ユニット
３１…ＣＰＵ
３２…ＲＯＭ
３３…ＲＡＭ
３４…高速モデム
３５…ビデオ信号出力回路
３６…ビデオ端子
３７…ビデオ信号入力回路
３８…音声入出力回路
３９…タイマ
４１…ハードディスク
４２…フレキシブルディスクドライブ
４３…入出力ポート
４４…キーボード
４５…キーボードインターフェース
４６…バス
４７…センサ
４８…直流安定化電源
６０…レンズ
６２…スペーサー
６４…カメラ
【図１】
0003654958.tif 000002
【図２】
0003654958.tif 000003
【図３】
0003654958.tif 000004
【図４】
0003654958.tif 000005
【図５】
0003654958.tif 000006
【図６】
0003654958.tif 000007
【図７】
0003654958.tif 000008